(57)【要約】【課題】電源スイッチがオフにされてからオンにされるまでの時間間隔が短くても突入電流を制限することができ、かつ突入電流制限抵抗での無駄な電力消費を防止できる突入電流防止装置を提供する。【解決手段】突入電流防止装置１０は、電源１２と電源スイッチ１４と負荷２７と突入電流制限抵抗２２を持つ閉回路と、突入電流制限抵抗２２をバイパスする回路と、そのバイパス回路を開閉するバイメタルスイッチと、電源スイッチ１４がオン状態の間はバイメタル２１と非接触状態に保たれ電源スイッチ１４がオフ状態の間はバイメタル２１と接触状態に保たれるヒートシンク１９とを備えている。【選択図】　図１
2004133568.tif 000002
【特許請求の範囲】
【請求項１】
電源と電源スイッチと負荷と突入電流制限抵抗を持つ閉回路と、突入電流制限抵抗をバイパスする回路と、そのバイパス回路を開閉するバイメタルスイッチと、電源スイッチがオン状態の間はバイメタルと非接触状態に保たれ電源スイッチがオフ状態の間はバイメタルと接触状態に保たれるヒートシンクとを備えている突入電流防止装置。
【請求項２】
電源スイッチのオンオフ状態を切換える動作部材がヒートシンクを変位させることを特徴とする請求項１に記載の突入電流防止装置。
【請求項３】
電源スイッチのオンオフ状態を切換える動作部材と、バイメタルと、ヒートシンクとを備え、その動作部材がヒートシンクを変位させて電源スイッチがオン状態の間はバイメタルと非接触状態に保ち電源スイッチがオフ状態の間はバイメタルと接触状態に保つことを特徴とするバイメタルスイッチ。
【請求項４】
電源と電源スイッチと負荷と突入電流制限抵抗を持つ閉回路と、突入電流制限抵抗をバイパスする回路と、そのバイパス回路を開閉するバイメタルスイッチと、少なくとも電源スイッチがオフ状態に切換えられた直後に運転するバイメタルの放熱機構とを備えている突入電流防止装置。
【請求項５】
バイメタルには放熱フィンが設けられており、放熱機構は送風ファンと送風ファン駆動モータとコンデンサと電源スイッチがオフするとオンするスイッチを備えていることを特徴とする請求項４に記載の突入電流防止装置。
【発明の詳細な説明】
【０００１】
【発明の属する技術分野】本発明は、突入電流防止装置に関するものである。詳しくは、バイメタルスイッチを用いる突入電流防止装置に関するものである。
【０００２】
【従来の技術】電源スイッチがオンにされると、突入電流が瞬時発生する。突入電流は、その電流値が高い。このため、突入電流が負荷に入力されると、負荷が破壊されてしまう。突入電流による負荷の破壊を防止するために、電源スイッチと負荷との間に突入電流防止装置を介装する技術が知られている。突入電流防止装置のタイプとしては、サーミスタ回路、半導体回路、バイメタルを用いたものがある。バイメタルを用いた突入電流防止装置は、サーミスタ回路や半導体回路を用いたものよりもコストが安い。
【０００３】
バイメタルを用いた突入電流防止装置は、電源と電源スイッチと負荷と突入電流制限抵抗を持つ閉回路と、突入電流制限抵抗をバイパスする回路と、そのバイパス回路を開閉するバイメタルスイッチとを備えている。バイメタルスイッチは、電源スイッチがオンにされると電流が流れ、通電によって発熱して昇温することによって変形してオンになる。電源スイッチがオフにされると、バイメタルスイッチへの通電が解除され、バイメタルスイッチの温度が下がって変形前の形状に復帰してオフになる。
このように構成されていると、電源スイッチがオンにされたとき、すなわち突入電流が発生するときには、バイメタルスイッチがオフされており、突入電流制限抵抗によって制限された電流が負荷に入力される。従って、電源スイッチがオンにされたときに発生する大きな突入電流によって、負荷が破壊されてしまうのが防止される。過渡的な突入電流がおさまると、バイメタルスイッチがオンされ、突入電流制限抵抗をバイパスする回路が有効になる。
【０００４】
バイメタルスイッチがオンからオフになるのは、電源スイッチがオフにされバイメタルスイッチの温度が下がってからである。すなわち、電源がオフにされても、バイメタルスイッチは直ぐにオフにならない。この状態で電源スイッチが再びオンにされると、突入電流が直接負荷に入力され、負荷が破壊されてしまう。負荷が破壊されてしまうのを防ぐためには、バイメタルスイッチからの放熱が多く行われるようにして、その温度を早く下げる必要がある。バイメタルスイッチの温度が早く下がると、電源スイッチがオフにされたときに、バイメタルスイッチは直ぐにオフになる。このため、電源スイッチを短時間でオフからオンに切替えても、突入電流が制限される。
バイメタルスイッチの放熱を促進する技術が、「実用新案文献１」に記載されている。この技術は、密閉容器に満たされた弗素系不活性液体中にバイメタルを浸漬し、バイメタルスイッチの放熱効率を向上させている。
【０００５】
【実用新案文献１】
実開平４−１２３０４５号公報（第１−８頁）
【０００６】
【発明が解決しようとする課題】しかしながら、上述した「実用新案文献１」に記載のバイメタルスイッチは、密閉容器に満たされた弗素系不活性液体中にバイメタルを浸漬する構成であり、常時冷却されている。すなわち、バイメタルスイッチが通電されて発熱している状態でも、非通電とされて発熱していない状態でも、バイメタルスイッチは常時冷却されている。バイメタルスイッチが常時冷却されていると、電源スイッチがオンになってからバイメタルスイッチがオンになり、突入電流制限抵抗をバイパスする回路が閉じるまでの時間が長くなってしまう。このため、突入電流が流れなくなっても、依然として突入電流制限抵抗に電力が供給され続ける。従って、常時冷却されているバイメタルスイッチを用いた突入電流防止装置では、突入電流を制限することと、突入電流制限抵抗での無駄な電力消費の防止とを両立させることができない。
従って、従来のバイメタルスイッチを用いた突入電流防止装置は、電源スイッチがオフにされてからオンにされるまでの時間間隔が長いもの（例えば、電気炊飯器や冷蔵庫）にしか採用されていないのが実情である。
【０００７】
本発明はかかる問題を解決するためになされたものであり、電源スイッチがオフにされてからオンにされるまでの時間間隔が短くても突入電流を制限することができ、かつ突入電流制限抵抗での無駄な電力消費を防止できる突入電流防止装置を提供することを課題とする。
【０００８】
【課題を解決するための手段および作用と効果】請求項１に記載の突入電流防止装置は、電源と電源スイッチと負荷と突入電流制限抵抗を持つ閉回路と、突入電流制限抵抗をバイパスする回路と、そのバイパス回路を開閉するバイメタルスイッチと、電源スイッチがオン状態の間はバイメタルと非接触状態に保たれ電源スイッチがオフ状態の間はバイメタルと接触状態に保たれるヒートシンクとを備えている。
上記の突入電流防止装置は、電源スイッチがオン状態の間はバイメタルと非接触状態に保たれ、電源スイッチがオフ状態の間はバイメタルと接触状態に保たれるヒートシンクとを備えている。電源スイッチがオフの間はバイメタルと接触状態に保たれるヒートシンクを備えていると、電源スイッチがオフにされたときに、バイメタルの熱がヒートシンクに吸収され、バイメタルの温度を早く下げることができる。従って、電源スイッチがオフにされるとバイメタルスイッチは直ぐにオフになる。バイメタルスイッチがオフになっていると、電源スイッチと負荷は突入電流制限抵抗を介して接続される。従って、この状態で電源スイッチがオンにされても、負荷に入力される突入電流は突入電流制限抵抗によって制限される。よって、上記の突入電流防止装置によれば、電源スイッチがオフにされてからオンにされるまでの時間間隔が短くても、突入電流によって負荷が破壊されてしまうのを防止することができる。上記の突入電流防止装置は、構成が簡単なのでコストが安い。
また、電源スイッチがオンにされると、ヒートシンクはバイメタルと非接触状態になるので、バイメタルは短時間に温度が上がって変形し、突入電流制限抵抗をパイパスする回路が短時間で閉じられる。従って、突入電流制限抵抗によって電力が無駄に消費されることが防止される。
【０００９】
請求項１に記載の突入電流防止装置において、電源スイッチのオンオフ状態を切換える動作部材がヒートシンクを変位させることが好ましい（請求項２）。
上記の突入電流防止装置は、電源スイッチのオンオフ状態を切換える動作部材がヒートシンクを変位させる。このため、構成を単純化することができる。
【００１０】
請求項３に記載のバイメタルスイッチは、電源スイッチのオンオフ状態を切換える動作部材と、バイメタルと、ヒートシンクとを備え、その動作部材がヒートシンクを変位させて電源スイッチがオン状態の間はバイメタルと非接触状態に保ち電源スイッチがオフ状態の間はバイメタルと接触状態に保つ。
上記のバイメタルスイッチは、電源スイッチがオン状態の間はバイメタルと非接触状態に保たれ電源スイッチがオフ状態の間はバイメタルと接触状態に保たれるヒートシンクとを備えている。電源スイッチがオフの間はバイメタルと接触状態に保たれるヒートシンクを備えていると、電源スイッチがオフにされたときに、バイメタルの熱がヒートシンクに吸収され、バイメタルの温度を早く下げることができる。従って、電源スイッチがオフにされるとバイメタルスイッチは直ぐにオフになる。上記のバイメタルスイッチは、構成が簡単なのでコストが安い。一方、電源スイッチがオンにされると、ヒートシンクはバイメタルと非接触状態になる。このため、バイメタルは短時間に温度が上がって変形し、突入電流制限抵抗をパイパスする回路が短時間で閉じられる。従って、突入電流制限抵抗によって電力が無駄に消費されることが防止される。
【００１１】
請求項４に記載の突入電流防止装置は、電源と電源スイッチと負荷と突入電流制限抵抗を持つ閉回路と、突入電流制限抵抗をバイパスする回路と、そのバイパス回路を開閉するバイメタルスイッチと、少なくとも電源スイッチがオフ状態に切換えられた直後に運転するバイメタルの放熱機構とを備えている。
このように、電源スイッチがオフ状態に切換えられた直後に運転するバイメタルの放熱機構を備えていると、バイメタルの温度を早く下げることができる。従って、電源スイッチがオフになるとバイメタルスイッチは直ぐにオフになる。よって、上記の突入電流防止装置によれば、電源スイッチがオフにされてからオンにされるまでの時間間隔が短くても、突入電流によって負荷が破壊されてしまうのを防止することができる。上記の突入電流防止装置は、構成が簡単なのでコストが安い。
【００１２】
請求項４に記載の突入電流防止装置において、バイメタルには放熱フィンが設けられており、放熱機構は送風ファンと送風ファン駆動モータとコンデンサと電源スイッチがオフするとオンするスイッチを備えていることが好ましい（請求項５）。
上記の突入電流防止装置のバイメタルには、放熱フィンが設けられている。そして、放熱機構は送風ファンと送風ファン駆動モータとコンデンサと電源スイッチがオフするとオンするスイッチを備えている。電源スイッチがオフにされると、充電されていたコンデンサが放電する電力によって送風ファンが駆動され、バイメタルが冷却される。コンデンサの放電が終了すると送風ファンは停止する。従って、送風ファンが無駄に運転しつづけることがない。
【００１３】
【発明の実施の形態】
（第１実施形態）
本発明の第１実施形態に係る突入電流防止装置１０について、図面を参照しながら説明する。
最初に、図１を参照して突入電流防止装置１０の構成を説明する。なお、図１は、電源レバー１６がオフ位置された状態の突入電流防止装置１０を示している。電源１２の下流に接続されている電源スイッチ１４は、プレート１４ｂの先端部に設けられている接点１４ａ、接点１４ａと対向した位置に設けられている接点１４ｃから構成されている。図１に示されているように接点１４ａと接点１４ｃが離れていると、電源スイッチ１４はオフになっている。
【００１４】
電源スイッチ１４の下流は、バイメタル２１側とバイパススイッチ２４側に分枝している。板状のバイメタル２１は、熱膨張係数の異なる金属から構成されているとともに、通電されると発熱する。なお、バイメタル２１に隣接して配置され、通電されると発熱する発熱体を別に設けることもできる。発熱部を内蔵している。温度が低い状態のバイメタル２１は、図１に示されているように、上向きに湾曲した形状を保っている（図１の紙面の上下を突入電流防止装置１０の上下とする）。バイパススイッチ２４は、プレート２４ｂの先端部に設けられている接点２４ａ、接点２４ａと対向した位置に設けられている接点２４ｃから構成されている。接点２４ａと接点２４ｃが離れていると、バイパススイッチ２４はオフになる。バイメタル２１とバイパススイッチ２４との間には、バイメタルバー２６が設けられている。バイメタルバー２６は、スライド機構（図示省略）に案内されて上下方向にスライドすることができる。
バイメタル２１の下流には、突入電流制限用の電気抵抗２２が接続されている。電気抵抗２２とバイパススイッチ２４の下流は合流しており、さらにその下流には負荷であるモータ２７が接続されている。
【００１５】
電源レバー１６は、電源スイッチ１４の上側に装着されている。電源レバー１６は、操作者が操作部１６ｂを操作することにより、支点１６ａを中心としてオフ位置とオン位置との間を回動する。操作者が電源レバー１６をオフ位置またはオン位置まで回動させると、電源レバー１６はロック機構（図示省略）によってその位置でロックされる。電源レバー１６には、ピン１３によって電源バー１８が装着されている。電源バー１８は、スライド機構（図示省略）に案内されて上下方向にスライドすることができる。このように構成されているので、電源レバー１６がオフ位置にされると電源バー１８は上方にスライドし、オン位置にされると下方にスライドする。
【００１６】
バイメタル２１の上方にヒートシンク１９が取り付けられている。ヒートシンク１９は、スライド機構（図示省略）に案内されて上下方向にスライドすることができる。電源レバー１６の操作部１６ｂとは反対側の端部１６ｃと、ヒートシンク１９との間にはスプリング２８が介装されている。従って、電源レバー１６がオフ位置にある場合には、ヒートシンク１９はスプリング２８に付勢されてバイメタル２１に押し付けられる。なお、ヒートシンク１９は熱を多く吸収する物質（例えば、銅）から形成されていることが好ましい。
【００１７】
突入電流防止装置１０の動作を説明する。
図１に示されている電源レバー１６がオフ位置にある状態から、図２に示されているように電源レバー１６がオン位置まで回動されると、電源バー１８は下方に移動し、その先端が電源スイッチ１４のプレート１４ｂを押す。電源バー１８に押されたプレート１４ｂは下向きに変形し、接点１４ａと接点１４ｃが接触する。接点１４ａと接点１４ｃが接触すると、電源スイッチ１４はオンになる。電源スイッチ１４がオンになると、電源１２からの電力がバイメタル２１と電気抵抗２２を介してモータ２７に入力される。電源１２からの電力が電気抵抗２２を介してモータ２７に入力されると、電源スイッチ１４がオンになったときにモータ２７に入力される突入電流が制限される。突入電流が制限されると、それによってモータ２７が破壊されてしまうことが防止される。
また、電源レバー１６がオン位置に回動されると、ヒートシンク１８はスプリング２８によって吊り下げられ、バイメタル２１から離れる。このときには、バイパススイッチ２４がオフになっているので、電流は全てバイメタル２１を流れる。
【００１８】
バイメタル２１に通電が行われると、発熱部が発熱してバイメタル２１の温度が上がる。温度が上がったバイメタル２１は、図３に示されているように、下向きに湾曲した形状に変形する。下向きに湾曲した形状に変形したバイメタル２１は、バイメタルバー２６を介してバイパススイッチ２４のプレート２４ｂを押す。押されたプレート２４ｂは変形し、接点２４ｂと接点２４ｃが接触してバイパススイッチ２４はオンになる。バイパススイッチ２４がオンになると、電源１２からの電力が直接モータ２７に入力される。従って、電気抵抗２２には僅かな電流しか流れなくなる。このため、電気抵抗２２によって電力が無駄に消費されることが防止される。このとき、バイメタル２１には、僅かな電流が流れ続けて発熱が継続される。よって、バイメタル２１は、図３に示されている下向きに湾曲した形状を保つ。この状態では、ヒートシンク１９はバイメタル２１から離れているので、バイメタル２１の熱がヒートシンク１９によって吸収されることはない。
【００１９】
続いて、図４に示されているように、電源レバー１６がオフ位置まで回動されると、それとともに電源バー１８が上方に移動する。電源バー１８が上方に移動して電源スイッチ１４のプレート１４ｂを押さなくなると、プレート１４ｂは弾性力で元の形状に戻り、接点１４ａと接点１４ｃが離れる。接点１４ａと接点１４ｃが離れると、電源スイッチ１４はオフになる。従って、バイメタル２１とモータ２７に電力が入力されなくなる。
また、電源レバー１６がオフ位置まで回動されると、ヒートシンク１９が下方に移動し、スプリング２８によってバイメタル２１に押し付けられる。ヒートシンク１９がバイメタル２１に押し付けられると、熱伝達によってバイメタル２１からヒートシンク１９に熱が吸収され（熱が移動し）、バイメタル２１の温度は急速に低下する。温度が急速に低下したバイメタル２１は、スプリング２８の付勢力に抗して上向きに湾曲した形状に変形する。すると、バイパススイッチ２４はオフになる。従って、突入電流防止装置１０は、図１に示されている状態に戻る。
【００２０】
このように、ヒートシンク１９がバイメタル２１熱を吸収すると、バイパススイッチ２４は電源レバー１６がオンにされてから直ぐにオフになる。バイパススイッチ２４がオフになっていると、電源スイッチ１４が再度オンにされたときに、電源１２からの電力は電気抵抗２２を介してモータ２７に入力される。従って、電源スイッチ１４がオフにされてからオンにされるまでの時間間隔が短くてもモータ２７に入力される突入電流が制限される。よって、突入電流によるモータ２７の破壊を防止することができる。また、突入電流防止装置１０は、構成が簡単であるので安いコストで製造することができる。
このような突入電流防止装置は、電源スイッチがオフにされてからオンにされるまでの時間間隔が短い電気回路（例えば、自動車の＊＊＊＊＊＊回路）に適用することができる。
【００２１】
ヒートシンク１９のバイメタル２１との接触面は、下向きに湾曲したバイメタル２１に沿う形状に成形されていることが望ましい。ヒートシンク１９がこのように形成されていると、ヒートシンク１９とバイメタル２１が密着するので、バイメタル２１からヒートシンク１９への熱吸収がより多く行われる。
ヒートシンク１９とバイメタル２１との間に熱伝導シート等を介装してもよい。このように構成すると、ヒートシンク１９への熱吸収が効率良く行われる。
ヒートシンク１９に放熱フィンを設けることもできる。放熱フィンを設けると、熱を吸収した後のヒートシンク１９の温度を早く低下させることができる。ヒートシンク１９の温度を早く低下させることができると、その次にヒートシンク１９がバイメタル２１に押し付けられたときに、より多くの熱を吸収することができる。
【００２２】
（第２実施形態）
本発明の第２実施形態に係る突入電流防止装置４０について、図面を参照しながら説明する。
最初に、図５を参照しながら突入電流防止装置４０の構成を説明する。図５は、電源レバー４６がオフ位置にされた状態の突入電流防止装置４０を示している。電源４２の下流に接続されている電源スイッチ４４の構成は、第１実施形態で説明した電源スイッチ１４と同様なので、詳しい説明は省略する。
電源スイッチ４４の下流は、バイメタル５１側とバイパススイッチ５４側とコンデンサ６２側の３つに分枝している。バイメタル５１の上面には、放熱フィン５１ａが設けられている。なお、バイメタル５１と放熱フィン５１ａは、別体とすることもできる。
バイパススイッチ５４の構成は、第１実施形態で説明したバイパススイッチ２４と同様なので、詳しい説明は省略する。
【００２３】
バイメタル５１とバイパススイッチ５４との間には、バイメタルバー５６が設けられている。バイメタル５１の下流には、突入電流制限用の電気抵抗５２が接続されている。電気抵抗５２とバイパススイッチ５４の下流は合流し、モータ５７の上流側に接続されている。
電源レバー４６は、電源スイッチ４４の上側に装着されている。電源レバー４６は、支点４６ａを中心としてオン位置とオフ位置との間を回動する。電源レバー４６には、ピン４３を介して電源バー４８が装着されている。
また、電源レバー４６には、支点４６ａとピン４３との間でピン６３を介してファンスイッチバー６４が装着されている。ファンスイッチバー６４は、スライド機構（図示省略）に案内されて上下方向にスライドすることができる。ファンスイッチバー６４は、電源レバー４６がオフ位置にされると上方に移動し、オン位置にされると下方に移動する。
【００２４】
電源レバー４６の上側に、ファンスイッチ６５が装着されている。ファンスイッチ６５は、プレート６５ｂと、プレート６５ｂの先端部に設けられている接点６５ａと、接点６５ｃが先端部に設けられているプレート６５ｄとから構成されている。図５は、プレート６５ｂがファンスイッチバー６４に押されて変形し、接点６５ａと接点６５ｃが接触している状態を図示している。接点６５ａと接点６５ｃが接触するとファンスイッチ６５はオンになり、離れるとオフになる。
ファンスイッチ６５のプレート６５ｄは、電気経路７３によってコンデンサ６２と接続されている。またコンデンサ６２は、電気経路７４によってモータ５７の上流側に接続されている。電源スイッチ４４の下流は、電気経路７２によって電気経路７３の途中に接続されている。
【００２５】
バイメタル５１の上側に、電動ファン６８が装着されている。電動ファン６８とファンスイッチ６５のプレート６５ｂとは電気経路７５によって接続されている。電動ファン６８は、さらに電機経路７６によって電機経路７４の途中に接続されている。電動ファン６８はバイメタル５１の上側に配置されており、モータ６８ａと、モータ６８ａの回転軸に取り付けられたファン６８ｂを備えている。ファン６８ｂが回転すると、バイメタル５１の放熱フィン５１ａに対して送風が行われる。
【００２６】
突入電流防止装置４０の動作を説明する。
図５に示されている電源レバー４６がオフ位置にされている状態から、図６に示されているように電源レバー４６がオン位置まで回動されると、電源バー４８は下方に移動し、その先端が電源スイッチ４４のプレート４４ｂを押す。電源バー４８に押されたプレート４４ｂは下向きに変形し、接点４４ａと接点４４ｃが接触する。接点４４ａと接点４４ｃが接触すると、電源スイッチ４４はオンになる。電源スイッチ４４がオンになると、電力がバイメタル５１と電気抵抗５２を介してモータ５７に入力される。電源４２からの電力が電気抵抗５２を介してモータ５７に供給されると、電源スイッチ５４がオンになったときにモータ５７に入力される突入電流が制限される。
また、電源スイッチ４４がオンになると、電気経路７２を介してコンデンサ６２に充電が行われる。
【００２７】
バイメタル５１の温度は通電されると上がり、図７に示されているように、下向きに湾曲した形状に変形する。下向きに湾曲した形状に変形したバイメタル５１は、バイメタルバー５６を介してバイパススイッチ５４のプレート５４ｂを押す。バイメタルバー５６に押されたプレート５４ｂは変形し、接点５４ａと接点５４ｃが接触する。接点５４ａと接点５４ｃが接触するとバイパススイッチ５４はオンになり、電源４２から直接モータ５７に電力が入力される。この状態では、コンデンサ６２への充電は継続される。
図８に示されているように、電源レバー４６がオフ位置にされると、電源バー４８は上方に移動し、電源スイッチ４４のプレート４４ｂを押さなくなる。電源バー４８がプレート４４ｂを押さなくなると、接点４４ａと接点４４ｃが離れ、電源スイッチ４４はオフになる。電源スイッチ４４がオフになると、バイメタル５１、モータ５７、コンデンサ６２に電力が入力されなくなる。
【００２８】
電源レバー４６がオフ位置にされるとファンスイッチバー６４が上方に移動し、ファンスイッチ６５のプレート６５ｂを押す。ファンスイッチバー６４がプレート６５ｂを押すと、プレート６５ｂが変形して接点６５ａと接点６５ｃが接触し、ファンスイッチ６５はオンになる。ファンスイッチ６５がオンになると、電気経路７３、７４、７５、７６によってコンデンサ６２と電動ファン６８とが接続される。すると、コンデンサ６２が放電する電力によって電動ファン６８が駆動され、ファン６８ｂが回転する。
ファン６８ｂが回転すると放熱フィン５１ａに向けて送風が行われ、バイメタル５１が冷却される。ファン６８ｂによってバイメタル５１が冷却されると、バイメタル５１の温度は急速に低下する。そして、バイメタル５１は、図５に示されている上向きに湾曲した形状に変形する。バイメタル５１が上向きに湾曲した形状に変形すると、バイパススイッチ５４はオフになる。従って、突入電流防止装置４０は、図５に示されている状態に戻る。
【００２９】
このように、ファン６８ｂが回転することによってバイメタル５１が冷却されると、バイパススイッチ５４は電源レバー４６がオンにされてから直ぐにオフになる。従って、電源スイッチ４２がオフにされてからオンにされるまでの時間間隔が短くても、モータ５７に入力される突入電流が制限される。また、突入電流防止装置４０は、構成が簡単であるので安いコストで製造することができる。
【００３０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時の請求項記載の組み合わせに限定されるものではない。また、本明細書または図面に例示した技術は複数目的を同時に達成するものであり、そのうちの一つの目的を達成すること自体で技術的有用性を持つものである。
従って、例えば、以下に記載するように構成することもできる。
【００３１】
（１）バイメタルを冷却するのはヒートシンクやファンに限られない。例えば、ペルチェ素子、ヒートパイプ、熱交換機、液冷等によりバイメタルを冷却することもできる。
【図面の簡単な説明】
【図１】第１実施形態に係る突入電流防止装置の説明図。
【図２】同上。
【図３】同上。
【図４】同上。
【図５】第２実施形態に係る突入電流防止装置の説明図。
【図６】同上。
【図７】同上。
【図８】同上。
【符号の説明】
１０：突入電流防止装置
１２：電源
１３：ピン
１４：電源スイッチ、１４ａ：接点、１４ｂ：プレート、１４ｃ：接点
１６：電源レバー、１６ａ：支点、１６ｂ：操作部、１６ｃ：端部
１８：電源バー
１９：ヒートシンク
２１：バイメタル
２２：電気抵抗
２４：バイパススイッチ、２４ａ：接点、２４ｂ：プレート、２４ｃ：接点
２６：バイメタルバー
２７：モータ
２８：スプリング
４０：突入電流防止装置
４２：電源
４３：ピン
４４：電源スイッチ
４６：電源レバー、４６ａ：支点
４８：電源バー
５１：バイメタル、５１ａ：放熱フィン
５２：電気抵抗
５４：バイパススイッチ
５６：バイメタルバー
５７：モータ
６２：コンデンサ
６３：ピン
６４：ファンスイッチバー
６５：ファンスイッチ、６５ａ：接点、６５ｂ：プレート、６５ｃ：接点、６５ｄ：プレート
６８：電動ファン、６８ａ：モータ、６８ｂ：ファン
７２、７３、７４、７５、７６：電気経路
【図１】
2004133568.tif 000003
【図２】
2004133568.tif 000004
【図３】
2004133568.tif 000005
【図４】
2004133568.tif 000006
【図５】
2004133568.tif 000007
【図６】
2004133568.tif 000008
【図７】
2004133568.tif 000009
【図８】
2004133568.tif 000010